(57)【要約】【課題】複写文字の追加記入による改ざんを容易に判別できるようにし、改ざんの抑止効果を図る。【解決手段】上票１０は、基紙１１表面に発色剤と顕色剤との混合剤からなる自己発色剤層を塗布し、この自己発色剤層１４上に記入欄１２と判別欄１３とを形成し、下票２０は、基紙２１表面で記入欄１２と判別欄１３に対応する箇所に記入複写欄２２と判別複写欄２３とを形成し、上票１０と下票２０との間の感圧複写層３０は、下票２０の記入複写欄２２に複写される複写文字と判別複写欄２３に複写される複写文字がともに２色以上で表示され、かつ、記入複写欄２２の複写文字の配色パターンと判別複写欄２３の複写文字の配色パターンとが同一のパターンとなるように構成する。【選択図】  図１
2004160914.tif 000002
【特許請求の範囲】
【請求項１】
上票と下票との間に感圧複写層が設けられた帳票であって、
上記上票は、基紙表面に自己発色剤層が設けられるとともに、自己発色剤層上には金額や日付等を記入する記入欄と、記入欄に記入された文字の複写文字の改ざん有無を判別する判別欄とが形成され、
上記下票は、基紙表面で上票の記入欄と判別欄に対応する箇所に記入複写欄と判別複写欄とが形成されてなり、
上記感圧複写層は、下票の記入複写欄に複写される複写文字と判別複写欄に複写される複写文字がともに２色以上で表示され、かつ、記入複写欄の複写文字の配色パターンと判別複写欄の複写文字の配色パターンとが同一のパターンとなるように構成されている
ことを特徴とする複写帳票。
【請求項２】
上記感圧複写層は、カーボン複写式の複写層であって、上票の基紙裏面に塗布された２色以上のカーボンインキにより構成されていることを特徴とする請求項１記載の複写帳票。
【請求項３】
上記感圧複写層は、ノーカーボン複写式の複写層であって、上票の基紙裏面に塗布され、２色以上の発色剤を含有したマイクロカプセルからなる発色剤層と、下票の基紙表面に塗布され、発色剤と反応する顕色剤からなる顕色剤層とにより構成されていることを特徴とする請求項１記載の複写帳票。
【請求項４】
上記感圧複写層は、カーボン複写式とノーカーボン複写式との複合複写層であって、上票の基紙裏面に塗布され、発色剤を含有したマイクロカプセルからなる発色剤層と、この発色剤層上に塗布され、発色剤の発色と異なる色のカーボンインキを一部未塗布となるようにパターン塗布したカーボンインキ層と、下票の基紙表面に塗布され、発色剤と反応する顕色剤からなる顕色剤層とにより構成されていることを特徴とする請求項１記載の複写帳票。
【請求項５】
上記感圧複写層は、上票の基紙表面に形成された記入欄と判別欄に該当する箇所に限定して形成されていることを特徴とする請求項１乃至請求項４記載の複写帳票。
【請求項６】
上記下票の裏面側に、さらに１枚以上の追加票が設けられ、下票と追加票との間に上記感圧複写層が設けられていることを特徴とする請求項１乃至請求項５記載の複写帳票。
【請求項７】
上記上票と下票の組み合わせ、または上票と下票と追加票の組み合わせが一つのセットとされ、このセットが複数セット重ね合わせて冊子状に綴じられるとともに、上票が切り離しできないように構成されていることを特徴とする請求項１乃至請求項６記載の複写帳票。
【請求項８】
上記複数のセット同士で互いに重複しない通し番号が付番され、この通し番号が、予め判別欄に表示されるとともに判別複写欄に複写されていることを特徴とする請求項７記載の複写帳票。
【発明の詳細な説明】
【０００１】
【発明の属する技術分野】
本発明は、領収書等として使用される複写帳票に関し、特に、複写文字の追記による改ざんを容易に判別することができる複写帳票に関する。
【０００２】
【従来の技術】
一般に、領収書や契約書等のように、発行者と相手方との間で厳密な同一性を要求される書類には、複数枚綴りの複写帳票が使用されている。従来、この種の複写帳票としては、例えば下記の特許文献１に開示されたものが知られている。
【０００３】
【特許文献１】
特開平９−５２４７５号公報
【０００４】
この複写帳票は、発行者の手元に残される控えシートと、相手に渡される発行シートとを備え、一方のシートの記入欄に記載された内容が複写手段を介してそのまま他方のシートの複写欄に複写されることで両シートに同一の内容が記録されるものである。
【０００５】
より詳細には、この複写帳票の複写手段は、控えシート裏面に塗布された発色剤と、これと対向する発行シート表面に塗布された顕色剤であり、控えシートの記入欄に筆圧を加えると、控えシート裏面の発色剤が発行シート表面の顕色剤と反応して発色し、記入事項が発行シートの表面に複写される。
【０００６】
ところが、この複写帳票によると、発行シート表面に複写される複写文字の色相は、発色剤と顕色剤とが反応して発色した単色である。このため、発行シートを受け取った相手が、市販されている同色のカーボン紙を使用して複写文字に追記することは比較的簡単に行なうことができるため、発行シートの金額欄等が容易に改ざんされてしまうという問題点があった。
【０００７】
【発明が解決しようとする課題】
本発明はこのような問題点に鑑みてなされたものであり、その目的とするところは、複写文字の追記による改ざんを容易に判別できるようにし、改ざんの抑止効果を図ることができる複写帳票を提供することにある。
【０００８】
【課題を解決するための手段】
上記目的を達成するために、本発明に係る複写帳票は、上票と下票との間に感圧複写層が設けられた帳票であって、上票は、基紙表面に自己発色剤層が設けられるとともに、自己発色剤層上には金額や日付等を記入する記入欄と、記入欄に記入された文字の複写文字の改ざん有無を判別する判別欄とが形成され、下票は、基紙表面で上票の記入欄と判別欄に対応する箇所に記入複写欄と判別複写欄とが形成されてなり、感圧複写層は、下票の記入複写欄に複写される複写文字と判別複写欄に複写される複写文字がともに２色以上で表示され、かつ、記入複写欄の複写文字の配色パターンと判別複写欄の複写文字の配色パターンとが同一のパターンとなるように構成されていることを特徴とする。
【０００９】
本発明において、感圧複写層の構成については各種考えられるが、例えば、カーボン複写式の複写層であって、上票の基紙裏面に塗布された２色以上のカーボンインキにより構成することができる。
【００１０】
また、感圧複写層は、ノーカーボン複写式の複写層としても良い。例えば、上票の基紙裏面に塗布され、２色以上の発色剤を含有するマイクロカプセルからなる発色剤層と、下票の基紙表面に塗布され、発色剤と反応する顕色剤からなる顕色剤層とにより構成された複写発色型の複写層とすることができる。
【００１１】
さらに、感圧複写層は、カーボン複写式とノーカーボン複写式との複合複写層であっても良く、上票の基紙裏面に塗布され、発色剤を含有するマイクロカプセルからなる発色剤層と、発色剤層上に塗布され、発色剤の発色と異なる色のカーボンインキを一部未塗布となるようにパターン塗布したカーボンインキ層と、下票の基紙表面に塗布され、発色剤と反応する顕色剤からなる顕色剤層とにより構成された複写層とすることも可能である。
【００１２】
このように、本発明によれば、下票の記入複写欄と判別複写欄とに複写される複写文字が２色以上で表示され、複写文字の厳密な再現が困難となるため、複写帳票の改ざんを抑止できる。また、記入複写欄の複写文字自体が厳密に再現されているかどうかの追記チェックに加え、記入複写欄と判別複写欄の複写文字の配色パターンが同一であることにより、記入複写欄と判別複写欄の配色パターンを対比して一致または不一致による追記チェックを行なうことができるため、改ざんの有無を容易に発見することが可能となる。
【００１３】
さらに、上票の表面には自己発色剤層が設けられており、上票の記入欄を紙で覆ってその上から金額を記入するという改ざんを試みても、上票の自己発色剤が発色し、上票の記入欄には紙の上から記入した金額通りに表示されるため、そのような改ざんを行なうことはできない。
【００１４】
ここで、感圧複写層は、複写帳票の製作コスト削減の観点から、上票の基紙表面に形成された記入欄と判別欄に該当する箇所に限定して形成されていることが好ましい。
【００１５】
また、本発明に係る複写帳票は、下票の裏面側に、さらに１枚以上の追加票が設けられ、下票と追加票との間に上記感圧複写層が設けられていることを特徴とする。
【００１６】
この場合、上票と下票の組み合わせ、または上票と下票と追加票の組み合わせが一つのセットとされ、このセットが複数セット重ね合わせて冊子状に綴じられるとともに、上票が切り離しできないように構成されていると良い。これは、上票を剥がして下票を改ざんしようとすると、剥がすことにより上票の自己発色剤層が発色して剥がそうとした形跡が残り、上票の不正な持ち出しをしようとしたかどうかを確認できるためである。また、改ざんをしようとする者は、上票裏面の感圧複写層の構成を参照することができず、２色以上からなる配色パターンを厳密に再現することがより困難となるため、複写帳票の改ざん抑止効果がさらに向上する。
【００１７】
また、本発明において、複数のセット同士で互いに重複しない通し番号が付番され、この通し番号が、予め判別欄に表示されるとともに判別複写欄に複写されていても良い。
【００１８】
【発明の実施の形態】
以下、本発明の好適な実施の形態について、添付図面を参照しながら詳細に説明する。図１は本発明に係る複写帳票を領収書に適用した例を示す平面図であり、同図（ａ）は上票の表面、同図（ｂ）は上票の裏面、同図（ｃ）は下票の表面の外観を示している。また、図２は同複写帳票における感圧複写層の構成を分解して示した断面図である。
【００１９】
図１に示すように、本実施形態の複写帳票は、同じ大きさからなる上票１０と下票２０の２枚組からなる１枚複写の帳票であり、上票１０が領収書の控えとして、また下票２０が領収書の原本として適用されている。
【００２０】
上票１０は、本実施形態では基紙１１表面に発色剤と顕色剤との混合剤からなる自己発色剤層１４が塗布されており、自己発色剤層１４上には領収書の控えとなるように、発行元やその他の所定事項が予め印刷されている。また、自己発色剤層１４上には宛名，金額，日付等を記入するための記入欄１２と、記入欄１２に記入された文字や数字等の記入事項の複写が改ざんされていないかどうかを判別するための判別欄１３とが形成されている。
【００２１】
下票２０は、領収書の原本となるように、基紙２１表面に同様な発行元やその他の所定事項が予め印刷されている。また、基紙２１表面には上票１０の記入欄１２に該当する箇所に記入複写欄２２が形成され、上票１０の判別欄１３に該当する箇所に判別複写欄２３が形成されている。
【００２２】
上票１０と下票２０との間には、上票１０に記入した事項が下票２０に複写されるように感圧複写層３０が設けられている（図２参照）。この感圧複写層３０は上票１０の基紙１１裏面に設けられており、製作コスト削減の観点から、上票１０表面に形成された記入欄１２と判別欄１３に該当する箇所に限定して形成されている（図１（ｂ）参照）。
【００２３】
感圧複写層３０は、下票２０の記入複写欄２２に複写される複写文字と判別複写欄２３に複写される複写文字がともに２色以上で表示され、かつ、記入複写欄２２の複写文字の配色パターンと判別複写欄２３の複写文字の配色パターンとが同一のパターンとなるように構成されていることが必要となる。
【００２４】
図１および図２に示すように、本実施形態における感圧複写層３０にあっては、黒色カーボンインキ３１と青色カーボンインキ３２が所定幅で交互に塗布されており、記入欄１２に対応するカーボンインキ層３０−１と判別欄１３に対応するカーボンインキ層３０−２は全体として２色のカーボンインキによるストライプ模様となるように形成されている。
【００２５】
ここで、感圧複写層３０の色の数については２色に限らず３色以上とすることもでき、また感圧複写層３０の配色パターンについてはストライプ模様に替えて格子模様などとすることもできるが、改ざんの困難性を考慮すると多数色で複雑な模様となるように配色するのが良い。
【００２６】
次に、この複写帳票の複写原理について図３を参照しながら説明する。図３は同複写帳票における複写後の状態を表わす平面図であり、同図（ａ）は上票表面、同図（ｂ）は下票表面の記入複写欄を拡大して示している。
【００２７】
同図に示すように、上票１０の記入欄１２または判別欄１３に筆圧や印字圧が加わると、上票１０裏面のカーボンインキ層３０−１，３０−２のカーボンインキが剥離し、剥離したカーボンインキが下票２０の基紙２１表面に付着してカーボン色で表示される。記入欄１２に対応するカーボンインキ層３０−１と判別欄１３に対応するカーボンインキ層３０−２は、上述したように黒色カーボンインキ３１と青色カーボンインキ３２の２色のカーボンインキによるストライプ模様で形成されていることから、下票２０の記入複写欄２２と判別複写欄２３に複写される文字も黒色と青色の２色のカーボンインキによるストライプ模様で表示される（図３（ｂ）参照）。
【００２８】
したがって、領収書の原本である下票２０を受け取った者が、市販のカーボン紙を使用して改ざんしようとしても、記入複写欄２２に表示された複写文字の表示色と配色パターンを精密に再現しなければならないため、複写帳票の改ざんの抑止効果が期待できる。また、記入複写欄２２の複写文字自体が厳密に再現されているかどうかの追記チェックに加え、記入複写欄２２と判別複写欄２３の複写文字の配色パターンが同一であることにより、記入複写欄２２と判別複写欄２３の配色パターンを対比して一致または不一致による追記チェックを行なうことができるため、記入複写欄２２の金額のみを改ざんしても、その改ざんの有無を容易に発見することが可能となる。
【００２９】
さらに、上票１０の表面には自己発色剤層１４が設けられており、例えば上票１０の記入欄１２を紙で覆ってその紙の上から金額を記入して、上票１０の記入欄１２と下票２０の記入複写欄２２との金額を異ならせようと試みても、上票１０の自己発色剤層１４の発色剤が発色し、上票１０の記入欄１２には紙の上から記入した金額通りに表示されるため、そのような改ざんを行なうことはできない。
【００３０】
ところで、感圧複写層の構成としては図２に示したカーボン複写式に限らず、図４または図５に示すような構成例も考えられる。
【００３１】
まず、図４に示す感圧複写層は、ノーカーボン複写式の複写層であって、複写発色型の複写層の例である。
【００３２】
同図に示すように、この感圧複写層４０は、上票１０の基紙１１裏面に２色以上の発色剤を含有するマイクロカプセルを塗布した発色剤層４１（４１−１，４１−２）が形成されている。上票１０と対向する下票２０の基紙２１表面には、マイクロカプセルの発色剤と反応して呈色する顕色剤を塗布した顕色剤層４２（４２−１，４２−２）が形成されている。発色剤層４１−１，４１−２と顕色剤層４２−１，４２−２は、それぞれ上票１０の基紙１１表面に形成された記入欄１２と判別欄１３に該当する箇所に限定して設けられている。
【００３３】
図４の感圧複写層４０によれば、記入欄１２または判別欄１３に筆圧や印字圧が加わると、発色剤層４１のマイクロカプセルが破壊され、カプセル内の発色剤が染み出して顕色剤層４２の顕色剤と化学反応して発色し、下票２０の基紙２１表面に２色以上に混色して表示される。
【００３４】
次に、図５に示す感圧複写層は、カーボン複写式とノーカーボン複写式との複合複写層の例である。
【００３５】
同図に示すように、この感圧複写層５０は、上票１０の基紙１１裏面に少なくとも１色の発色剤を含有するマイクロカプセルを塗布した発色剤層５１（５１−１，５１−２）が形成され、この発色剤層５１−１，５１−２表面に発色剤の発色とは異なる色のカーボンインキを一部未塗布となるようにパターン塗布したカーボンインキ層５３（５３−１，５３−２）が形成されている。上票１０と対向する下票２０の基紙２１表面には、マイクロカプセルの発色剤と反応して呈色する顕色剤を塗布した顕色剤層５２（５２−１，５２−２）が形成されている。発色剤層５１−１，５１−２、カーボンインキ層５３−１，５３−２、顕色剤層５２−１，５２−２は、それぞれ上票１０の基紙１１表面に形成された記入欄１２と判別欄１３に該当する箇所に限定して設けられている。
【００３６】
図５の感圧複写層５０によれば、記入欄１２または判別欄１３に筆圧や印字圧が加わると、カーボンインキ層５３のカーボンインキが剥離し、下票２０の基紙２１表面に付着してカーボンインキの色に表示される。また、同時に発色剤層５１のマイクロカプセルが破壊され、カプセル内の発色剤が染み出してカーボンインキの未塗布部分の隙間を通過し、顕色剤層５２の顕色剤と化学反応して発色する。このことにより、下票２０の基紙２１表面にはカーボンインキによるカーボン色と発色剤によるノーカーボン発色との２色以上で表示される。
【００３７】
このように、図４または図５に示した感圧複写層によっても下票２０の記入複写欄２２と判別複写欄２３に複写される複写文字は、２色以上で表示されるとともに両者の配色パターンが同一のパターンとなるように表示されるため、上述した作用効果と同様な作用効果が期待できる。
【００３８】
ところで、上述した複写帳票は上票１０と下票２０の２枚組からなる１枚複写とされているが、図６および図７に示すように複数枚複写とすることもできる。
【００３９】
図６に示すように、本実施形態の複写帳票は、上票１０、下票２０、追加票６０，７０、および台紙８０の５枚組からなる３枚複写の帳票であり、上票１０が領収書の控え、下票２０が領収書の原本、追加票６０が入金報告書の控え、追加票７０が入金報告書の原本としてそれぞれ適用されている。
【００４０】
この複写帳票は、上票１０、下票２０、追加票６０，７０、および台紙８０を順に重ね合わせ、縁部を糊付けすることにより一つのセットとされ、このセットは上票１０と台紙８０との３辺を糊付けして袋綴じにした封筒形状を有している。さらにこの封筒形状のセットを所定セット数丁合し、その背面に背糊９０が塗工されて、冊子状に一体化されている。また、宛名，金額，日付等が記入される上票１０は切り離しできないように構成されるとともに、記入した事項が複写される下票２０、追加票６０，７０はそれぞれミシン目２５，６５，７５を介して切り離し可能に構成されている。
【００４１】
この複写帳票の複写構造は、図７に分解して示すように、上票１０の構造については上述したものと同様とし、下票２０の基紙２１裏面と追加票６０の基紙６１表面との間、ならびに追加票６０の基紙６１裏面と追加票７０の基紙７１表面との間にそれぞれ上述した感圧複写層のいずれかを設ければ良い。
【００４２】
本実施形態では、上票１０と下票２０との間、下票２０と追加票６０との間、および追加票６０と追加票７０との間に、それぞれ図５に示したカーボン複写式とノーカーボン複写式とを複合した感圧複写層５０が設けられている。また、複数のセット同士で互いに重複しない通し番号Ｎが付番され、この通し番号Ｎは上票１０の判別欄１３に予め表示されている。上票１０の判別欄１３に表示された通し番号Ｎは、上述した複写原理によって下票２０の判別複写欄２３、追加票６０の判別複写欄６３、追加票７０の判別複写欄７３にそれぞれ２色以上で複写されることになる。
【００４３】
本実施形態の複写帳票は、宛名，金額，日付等が記入される上票１０が切り離しできないように構成されており、上票１０の不正な持ち出しを防ぐことができる。これは、封筒形状に袋綴じされた上票１０と台紙８０との糊付けを剥がして下票２０を改ざんしようとすると、剥がす際に加わる圧力により上票１０の自己発色剤層１４が発色し、剥がそうとした形跡が残り、この形跡の有無により上票１０の不正な持ち出しをしようとしたかどうかを確認できるためである。
【００４４】
また、領収書の原本である下票２０を受け取った者が改ざんしようとしても、上票１０裏面の複写構造を参照することができず、複写文字の配色パターンを厳密に再現することがより困難となるため、複写帳票の改ざん抑止効果がさらに向上する。また、通し番号Ｎが重複しないように付番されていることから、上票１０の通し番号と、切り離された下票２０、追加票６０，７０の通し番号との不一致があれば即座に改ざんされた帳票と判断することができるとともに、判別複写欄２３，６３，７３に複写された通し番号による改ざん判別機能を確実に確保することができる。
【００４５】
なお、上述した実施形態においては、本発明を領収書に適用した例について説明したが、改ざんされる可能性のある証券，契約書等の各種帳票にも同様に適用できる。
【００４６】
【発明の効果】
以上詳細に説明したように、本発明に係る複写帳票は、上票の記入欄と判別欄に筆圧や印字圧が加わると、下票の記入複写欄と判別複写欄に複写される複写文字は２色以上で表示され、かつ、記入複写欄の複写文字の配色パターンと判別複写欄の複写文字の配色パターンとが同一のパターンとなるように構成されている。
【００４７】
このため、下票を受け取った者が、市販のカーボン紙を使用して改ざんしようとしても、記入複写欄に表示された複写文字の表示色と配色パターンを精密に再現しなければならないため、複写帳票の改ざんの抑止効果が期待できる。
【００４８】
また、記入複写欄の複写文字自体が厳密に再現されているかどうかの追記チェックに加え、記入複写欄と判別複写欄の複写文字の配色パターンが同一であることにより、記入複写欄と判別複写欄の配色パターンを対比して一致または不一致による追記チェックを行なうことができるため、記入複写欄の金額のみを改ざんしても、その改ざんの有無を容易に発見することが可能となる。
【図面の簡単な説明】
【図１】本発明に係る複写帳票を領収書に適用した例を示す平面図。
【図２】同複写帳票における感圧複写層の構成を示す断面図。
【図３】同複写帳票における複写後の状態を表わす平面図。
【図４】同複写帳票における感圧複写層の他の構成例を示す断面図。
【図５】同複写帳票における感圧複写層の他の構成例を示す断面図。
【図６】本発明に係る複写帳票を複数枚複写とした例を示す平面図。
【図７】同複写帳票における感圧複写層の構成を示す断面図。
【符号の説明】
１０  上票
１１  基紙
１２  記入欄
１３  判別欄
１４  自己発色剤層
２０  下票
２１  基紙
２２  記入複写欄
２３  判別複写欄
２５  ミシン目
３０  感圧複写層
３０−１，３０−２  カーボンインキ層
３１  黒色カーボンインキ
３２  青色カーボンインキ
４０  感圧複写層
４１，４１−１，４１−２  発色剤層
４２，４２−１，４２−２  顕色剤層
５０  感圧複写層
５１，５１−１，５１−２  発色剤層
５２，５２−１，５２−２  顕色剤層
５３，５３−１，５３−２  カーボンインキ層
６０  追加票
６１  基紙
６２  記入複写欄
６３  判別複写欄
６５  ミシン目
７０  追加票
７１  基紙
７２  記入複写欄
７３  判別複写欄
７５  ミシン目
８０  台紙
９０  背糊
Ｎ  通し番号
【図１】
2004160914.tif 000003
【図２】
2004160914.tif 000004
【図３】
2004160914.tif 000005
【図４】
2004160914.tif 000006
【図５】
2004160914.tif 000007
【図６】
2004160914.tif 000008
【図７】
2004160914.tif 000009